(57)【要約】【課題】他の１のチャンネルに切り換えている状態であっても視聴を所望する番組の開始を簡素な構成で視認する。【解決手段】デジタル放送受信機のＭＰＵ１１は、操作入力に基づいてディスプレイ１８３に表示するチャンネルである表示チャンネルを設定するチャンネル設定部１１３と、所定時間以上継続して１のチャンネルが継続して設定されていると判定された場合に１のチャンネルを基準チャンネルとして設定する基準設定部１１５と、基準チャンネルが設定され、他の１のチャンネルが表示チャンネルとして設定された場合に、第２受信部１５Ｂを介して１のチャンネルの映像情報である第２映像を受信する第２映像取得部１１７と、第１受信部１５Ａを介して受信された第１映像と第２映像とを合成して生成された合成映像を表示する表示制御部１１９と、を備えている。【選択図】図２
2008277944.tif 000002
【特許請求の範囲】
【請求項１】
テレビジョン放送を受信する第１受信手段及び第２受信手段を有し、前記第１受信手段又は第２受信手段を介して受信した映像情報をモニタに表示する放送受信装置であって、
外部からの操作入力を受け付けて、受け付けられた操作入力に基づいて、モニタに映像を表示するチャンネルである表示チャンネルを設定するチャンネル設定手段と、
前記チャンネル設定手段によって設定された表示チャンネルに対応する映像情報である第１映像を前記第１受信手段又は第２受信手段を介して受信し、モニタに表示する表示制御手段と、
前記チャンネル設定手段によって１のチャンネルが設定され、予め設定された第１所定時間以上継続して前記１のチャンネルが設定されているか否かを判定する第１チャンネル判定手段と、
前記チャンネル判定手段によって第１所定時間以上継続して前記１のチャンネルが設定されていると判定された場合に、前記１のチャンネルを、モニタに表示する基準のチャンネルである基準チャンネルとして設定する基準設定手段と、
前記基準設定手段によって基準チャンネルが設定された場合に、前記チャンネル設定手段によって他の１のチャンネルが表示チャンネルとして設定されたか否かを判定する第２チャンネル判定手段と、
前記第２チャンネル判定手段によって前記他の１のチャンネルが表示チャンネルとして設定された場合に、前記第１受信手段又は第２受信手段を介して前記１のチャンネルの映像情報である第２映像を受信する第２映像取得手段と、
前記表示制御手段によって受信された前記他の１のチャンネルに対応する第１映像と、前記第２映像取得手段によって受信された前記１のチャンネルに対応する第２映像と、を合成して合成映像を生成する合成映像生成手段と、
を備え、
前記表示制御手段は、前記第２チャンネル判定手段によって前記他の１のチャンネルが表示チャンネルとして設定された場合に、モニタに前記合成映像生成手段によって生成された合成映像を表示することを特徴とする放送受信装置。
【請求項２】
前記第１受信手段は、デジタル方式のテレビジョン放送を受信し、
前記第２受信手段は、アナログ方式のテレビジョン放送を受信することを特徴とする請求項１に記載の放送受信装置。
【請求項３】
前記第２映像取得手段は、予め設定された第２所定時間毎に、前記１のチャンネルの映像情報を受信し、受信された映像情報に対応する静止画像を前記第２映像として生成することを特徴とする請求項１又は請求項２に記載の放送受信装置。
【請求項４】
前記第２映像取得手段は、前記チャンネル設定手段によって表示チャンネルに設定された他の１のチャンネルが前記第１受信手段を介して受信されるチャンネルである場合に、前記第２受信手段を介して前記１のチャンネルに対応する映像情報を受信し、前記チャンネル設定手段によって表示チャンネルに設定された他の１のチャンネルが前記第２受信手段を介して受信されるチャンネルである場合に、前記第１受信手段を介して前記１のチャンネルに対応する映像情報を受信することを特徴とする請求項１〜請求項３のいずれかに記載の放送受信装置。
【請求項５】
前記第１受信手段を介して受信可能なチャンネルの識別情報であるチャンネル識別情報を、前記第２受信手段を介して受信可能なチャンネルの識別情報であるチャンネル識別情報と対応付けて格納するチャンネル対応記憶手段と、
前記第１受信手段を介して受信可能なチャンネルにおいて受信される映像情報と、前記第２受信手段を介して受信可能なチャンネルにおいて受信される映像情報と、が同一であるか否かを判定する映像情報判定手段と、
前記映像情報判定手段によって映像情報が同一であると判定された場合に、前記第１受信手段を介して受信されるチャンネルの識別情報を、前記第２受信手段を介して受信されるチャンネルの識別情報と対応付けて前記チャンネル対応記憶手段に格納するチャンネル対応生成手段と、
を備え、
前記第２映像取得手段は、前記チャンネル対応記憶手段に格納された情報に基づいて、前記１のチャンネルに対応する映像情報を受信することを特徴とする請求項４に記載の放送受信装置。
【請求項６】
前記合成映像生成手段は、前記第１映像を親画面としてモニタの予め設定された第１領域に表示すると共に、前記第２映像を子画面としてモニタの前記第１領域内に予め設定された第２領域に表示するべく前記合成映像を生成することを特徴とする請求項１〜請求項５のいずれかに記載の放送受信装置。
【発明の詳細な説明】
【技術分野】
【０００１】
本発明は、テレビジョン放送を受信する第１受信手段及び第２受信手段を有し、前記第１受信手段又は第２受信手段を介して受信した映像情報をモニタに表示する放送受信装置に関する。特に、デジタル方式のテレビジョン放送を受信する第１受信手段及びアナログ方式のテレビジョン放送を受信する第２受信手段を有し、前記第１受信手段又は第２受信手段を介して受信した映像情報をモニタに表示する放送受信装置に関する。
【背景技術】
【０００２】
従来、テレビジョン放送の視聴者は、視聴中の番組に（Ｃｏｍｍｅｒｃｉａｌ  Ｍｅｓｓａｇｅ）が挿入された際に、ＣＭ放送を視聴したくない場合、又は、他のチャンネルで放送されている番組を知りたい場合に、リモートコントローラ（ｒｅｍｏｔｅ  ｃｏｎｔｒｏｌｌｅｒ：以下、「リモコン」という）を操作し、他のチャンネルを選局することがあった。この場合には、視聴者自身がＣＭの終了を予測して、リモコンを操作して元のチャンネルに戻す必要があった。
【０００３】
このように視聴者自身がＣＭ放送の終了を予測して、元のチャンネルに戻す場合には、元のチャンネルに戻すタイミングが遅すぎるために、他のチャンネルを選局している間に元のチャンネルで放送されている番組の一部を見逃すことがあった。逆に、元のチャンネルに戻すタイミングが早すぎるために、元のチャンネルに戻した場合には、未だＣＭ中であることもあった。
【０００４】
上記課題を解消するために、例えば、メイン選局手段で選局中のチャンネルの放送番組がＣＭ放送に移行時、ＣＭ放送検出手段では、ＣＭ放送への移行を検知し、その旨の信号を選局切替手段に伝送し、選局切替手段は、サブ選局手段に、メイン選局手段で選局中以外のチャンネルの放送番組を所望の設定に従って一定時間毎に選局を切り替えて受信させ、更に画面合成手段により、メイン選局手段で選局中のＣＭ放送中のチャンネルをメイン画面に、サブ選局手段で選局されたチャンネルをサブ画面として画面合成し、ディスプレイに出力する放送受信装置が開示されている（特許文献１参照）。
【特許文献１】特開２００３−２１９３０７号公報
【発明の開示】
【発明が解決しようとする課題】
【０００５】
しかしながら、上記放送受信装置では、ＣＭ放送検出手段によって、ＣＭ放送への移行を検知する必要があるため、複雑な処理をする必要があった。また、ＣＭ放送への移行を正確に検知することが困難である場合があった。更に、選局切替手段が、サブ選局手段に、メイン選局手段で選局中以外のチャンネルの放送番組を所望の設定に従って一定時間毎に選局を切り替えて受信させるため、ユーザが所望する他のチャンネルを選局することが困難である場合があり、利便性が充分ではない場合があった。
【０００６】
本発明は、上記課題に鑑みてなされたものであって、他の１のチャンネルに切り換えている状態であっても視聴を所望する番組の開始を簡素な構成で視認することの可能な放送受信装置を提供することを目的としている。
【課題を解決するための手段】
【０００７】
上記目的を達成するために請求項１に記載の放送受信装置は、テレビジョン放送を受信する第１受信手段及び第２受信手段を有し、前記第１受信手段又は第２受信手段を介して受信した映像情報をモニタに表示する放送受信装置であって、外部からの操作入力を受け付けて、受け付けられた操作入力に基づいて、モニタに映像を表示するチャンネルである表示チャンネルを設定するチャンネル設定手段と、前記チャンネル設定手段によって設定された表示チャンネルに対応する映像情報である第１映像を前記第１受信手段又は第２受信手段を介して受信し、モニタに表示する表示制御手段と、前記チャンネル設定手段によって１のチャンネルが設定され、予め設定された第１所定時間以上継続して前記１のチャンネルが設定されているか否かを判定する第１チャンネル判定手段と、前記チャンネル判定手段によって第１所定時間以上継続して前記１のチャンネルが設定されていると判定された場合に、前記１のチャンネルを、モニタに表示する基準のチャンネルである基準チャンネルとして設定する基準設定手段と、前記基準設定手段によって基準チャンネルが設定された場合に、前記チャンネル設定手段によって他の１のチャンネルが表示チャンネルとして設定されたか否かを判定する第２チャンネル判定手段と、前記第２チャンネル判定手段によって前記他の１のチャンネルが表示チャンネルとして設定された場合に、前記第１受信手段又は第２受信手段を介して前記１のチャンネルの映像情報である第２映像を受信する第２映像取得手段と、前記表示制御手段によって受信された前記他の１のチャンネルに対応する第１映像と、前記第２映像取得手段によって受信された前記１のチャンネルに対応する第２映像と、を合成して合成映像を生成する合成映像生成手段と、を備え、前記表示制御手段が、前記第２チャンネル判定手段によって前記他の１のチャンネルが表示チャンネルとして設定された場合に、モニタに前記合成映像生成手段によって生成された合成映像を表示することを特徴としている。
【０００８】
請求項２に記載の放送受信装置は、請求項１に記載の放送受信装置であって、前記第１受信手段が、デジタル方式のテレビジョン放送を受信し、前記第２受信手段が、アナログ方式のテレビジョン放送を受信することを特徴としている。
【０００９】
請求項３に記載の放送受信装置は、請求項１又は請求項２に記載の放送受信装置であって、前記第２映像取得手段が、予め設定された第２所定時間毎に、前記１のチャンネルの映像情報を受信し、受信された映像情報に対応する静止画像を前記第２映像として生成することを特徴としている。
【００１０】
請求項４に記載の放送受信装置は、請求項１〜請求項３のいずれかに記載の放送受信装置であって、前記第２映像取得手段が、前記チャンネル設定手段によって表示チャンネルに設定された他の１のチャンネルが前記第１受信手段を介して受信されるチャンネルである場合に、前記第２受信手段を介して前記１のチャンネルに対応する映像情報を受信し、前記チャンネル設定手段によって表示チャンネルに設定された他の１のチャンネルが前記第２受信手段を介して受信されるチャンネルである場合に、前記第１受信手段を介して前記１のチャンネルに対応する映像情報を受信することを特徴としている。
【００１１】
請求項５に記載の放送受信装置は、請求項４に記載の放送受信装置であって、前記第１受信手段を介して受信可能なチャンネルの識別情報であるチャンネル識別情報を、前記第２受信手段を介して受信可能なチャンネルの識別情報であるチャンネル識別情報と対応付けて格納するチャンネル対応記憶手段と、前記第１受信手段を介して受信可能なチャンネルにおいて受信される映像情報と、前記第２受信手段を介して受信可能なチャンネルにおいて受信される映像情報と、が同一であるか否かを判定する映像情報判定手段と、前記映像情報判定手段によって映像情報が同一であると判定された場合に、前記第１受信手段を介して受信されるチャンネルの識別情報を、前記第２受信手段を介して受信されるチャンネルの識別情報と対応付けて前記チャンネル対応記憶手段に格納するチャンネル対応生成手段と、を備え、前記第２映像取得手段が、前記チャンネル対応記憶手段に格納された情報に基づいて、前記１のチャンネルに対応する映像情報を受信することを特徴としている。
【００１２】
請求項６に記載の放送受信装置は、請求項１〜請求項５のいずれかに記載の放送受信装置であって、前記合成映像生成手段が、前記第１映像を親画面としてモニタの予め設定された第１領域に表示すると共に、前記第２映像を子画面としてモニタの前記第１領域内に予め設定された第２領域に表示するべく前記合成映像を生成することを特徴としている。
【発明の効果】
【００１３】
請求項１に記載の放送受信装置によれば、外部からの操作入力を受け付けられて、受け付けられた操作入力に基づいて、モニタに映像を表示するチャンネルである表示チャンネルとして１のチャンネルが設定され、予め設定された第１所定時間以上継続して前記１のチャンネルが設定されているか否かが判定され、第１所定時間以上継続して１のチャンネルが設定されていると判定された場合に、１のチャンネルが、モニタに表示する基準のチャンネルである基準チャンネルとして設定される。そして、基準チャンネルが設定された場合に、他の１のチャンネルが表示チャンネルとして設定されたか否かが判定され、他の１のチャンネルが表示チャンネルとして設定された場合に、第１受信手段及び第２受信手段の一方を介して、前記他の１のチャンネルに対応する第１映像が受信され、第１受信手段及び第２受信手段の他方を介して、前記１のチャンネルの映像情報である第２映像が受信されると共に、前記他の１のチャンネルに対応する第１映像と、前記１のチャンネル（＝基準チャンネル）に対応する第２映像と、が合成されて合成映像が生成され、生成された合成映像が、モニタに表示されるため、他の１のチャンネルに切り換えている状態であっても視聴を所望する番組（ここでは、基準チャンネルに設定された１のチャンネルで受信される番組）の開始を簡素な構成で視認することができる。
【００１４】
すなわち、例えば、基準チャンネルに設定された１のチャンネルで受信される番組において、ＣＭが挿入されている場合に、ＣＭ中にユーザが他の１のチャンネルに切り換えている状態であっても、他の１のチャンネルに対応する第１映像と、１のチャンネル（＝基準チャンネル）に対応する第２映像と、が合成された合成映像が、モニタに表示されるため、ユーザは、モニタに表示された第２映像（＝１のチャンネル（＝基準チャンネル）に対応する映像）を視認することができるので、他の１のチャンネルに切り換えている状態であっても視聴を所望する番組（ここでは、基準チャンネルに設定された１のチャンネルで受信される番組）の開始を簡素な構成で視認することができるのである。
【００１５】
請求項２に記載の放送受信装置によれば、第１受信手段によってデジタル方式のテレビジョン放送が受信され、第２受信手段によって、アナログ方式のテレビジョン放送が受信されるため、簡素な構成で、他の１のチャンネルに切り換えている状態であっても視聴を所望する番組（ここでは、基準チャンネルに設定された１のチャンネルで受信される番組）の開始を簡素な構成で視認することができる。
【００１６】
すなわち、同一の番組がデジタル方式のテレビジョン放送及びアナログ方式のテレビジョン放送で放送されている場合に、第１受信手段を介して（＝デジタル方式のテレビジョン放送を介して）他の１のチャンネルに対応する第１映像が受信され、第２受信手段を介して（＝アナログ方式のテレビジョン放送を介して）、１のチャンネルの映像情報である第２映像が受信されるため、第１受信手段を介して受信するチャンネルを他の１のチャンネルに切り換えている状態であっても、第２受信手段を介して１のチャンネル（＝基準チャンネル）が受信されて、１のチャンネルに対応する第２映像が、モニタに表示されるため、他の１のチャンネルに切り換えている状態であっても視聴を所望する番組（ここでは、基準チャンネルに設定された１のチャンネルで受信される番組）の開始を更に簡素な構成で視認することができるのである。
【００１７】
また逆に、同一の番組がデジタル方式のテレビジョン放送及びアナログ方式のテレビジョン放送で放送されている場合に、第２受信手段を介して（＝アナログ方式のテレビジョン放送を介して）他の１のチャンネルに対応する第１映像が受信され、第１受信手段を介して（＝デジタル方式のテレビジョン放送を介して）、１のチャンネルの映像情報である第２映像が受信されるため、第２受信手段を介して受信するチャンネルを他の１のチャンネルに切り換えている状態であっても、第１受信手段を介して１のチャンネル（＝基準チャンネル）が受信されて、１のチャンネルに対応する第２映像が、モニタに表示されるため、他の１のチャンネルに切り換えている状態であっても視聴を所望する番組（ここでは、基準チャンネルに設定された１のチャンネルで受信される番組）の開始を更に簡素な構成で視認することができるのである。
【００１８】
請求項３に記載の放送受信装置によれば、予め設定された第２所定時間毎に、１のチャンネルの映像情報が受信され、受信された映像情報に対応する静止画像が第２映像として生成されるため、他の１のチャンネルに切り換えている状態であっても視聴を所望する番組（ここでは、基準チャンネルに設定された１のチャンネルで受信される番組）の開始を更に簡素な構成で視認することができる。
【００１９】
すなわち、第２映像が静止画像であるため、他の１のチャンネルに対応する第１映像と、１のチャンネルに対応する第２映像と、を合成する処理が簡略化されるので、他の１のチャンネルに切り換えている状態であっても視聴を所望する番組（ここでは、基準チャンネルに設定された１のチャンネルで受信される番組）の開始を更に簡素な構成で視認することができるのである。
【００２０】
請求項４に記載の放送受信装置によれば、表示チャンネルに設定された他の１のチャンネルが第１受信手段を介して受信されるチャンネルである場合に、第２受信手段を介して１のチャンネルに対応する映像情報が受信され、表示チャンネルに設定された他の１のチャンネルが第２受信手段を介して受信されるチャンネルである場合に、第１受信手段を介して１のチャンネルに対応する映像情報が受信されるため、他の１のチャンネルに切り換えている状態であっても視聴を所望する番組（ここでは、基準チャンネルに設定された１のチャンネルで受信される番組）の開始を更に簡素な構成で視認することができる。
【００２１】
すなわち、第１受信手段及び第２受信手段の内、表示チャンネルに設定された他の１のチャンネルを受信していない方の受信手段によって１のチャンネルに対応する映像情報が受信されるため、他の１のチャンネルに切り換えている状態であっても視聴を所望する番組（ここでは、基準チャンネルに設定された１のチャンネルで受信される番組）の開始を更に簡素な構成で視認することができるのである。
【００２２】
請求項５に記載の放送受信装置によれば、第１受信手段を介して受信可能なチャンネルにおいて受信される映像情報と、第２受信手段を介して受信可能なチャンネルにおいて受信される映像情報と、が同一であるか否かが判定され、映像情報が同一であると判定された場合に、第１受信手段を介して受信されるチャンネルの識別情報が、第２受信手段を介して受信されるチャンネルの識別情報と対応付けてチャンネル対応記憶手段に格納される。そして、チャンネル対応記憶手段に格納された情報に基づいて、１のチャンネルに対応する映像情報が受信されるため、他の１のチャンネルに切り換えている状態であっても視聴を所望する番組（ここでは、基準チャンネルに設定された１のチャンネルで受信される番組）の開始を更に簡素な構成で視認することができる。
【００２３】
すなわち、チャンネル対応記憶手段に格納された情報に基づいて、１のチャンネルに対応する映像情報が受信されるため、１のチャンネルに対応する映像情報を受信するために、第１受信手段及び第２受信手段を介して第２映像を受信するチャンネルを容易に設定することができるので、他の１のチャンネルに切り換えている状態であっても視聴を所望する番組（ここでは、基準チャンネルに設定された１のチャンネルで受信される番組）の開始を更に簡素な構成で視認することができるのである。
【００２４】
請求項６に記載の放送受信装置によれば、第１映像が親画面としてモニタの予め設定された第１領域に表示されると共に、第２映像が子画面としてモニタの第１領域内に予め設定された第２領域に表示されるため、他の１のチャンネルに切り換えている状態であっても視聴を所望する番組（ここでは、基準チャンネルに設定された１のチャンネルで受信される番組）の開始を利便性良好に視認することができる。
【００２５】
すなわち、第１映像が親画面としてモニタの予め設定された第１領域に表示されると共に、第２映像が子画面としてモニタの第１領域内に予め設定された第２領域に表示されるため、視聴を所望する番組の開始を確認するための画面が子画面として表示されるので、他の１のチャンネルに切り換えている状態であっても視聴を所望する番組（ここでは、基準チャンネルに設定された１のチャンネルで受信される番組）の開始を利便性良好に視認することができるのである。
【発明を実施するための最良の形態】
【００２６】
以下に本発明の実施形態を、図面を参照しながら説明する。図１は、本発明に係るデジタル放送受信機の構成の一例を示すブロック図である。デジタル放送受信機１（放送受信装置に相当する）は、デジタル方式のテレビジョン放送及びアナログ方式のテレビジョン放送を受信し、後述するディスプレイ１８３及びスピーカ１６３に出力するものであって、ＭＰＵ１１、ＲＡＭ１２、ＲＯＭ１３、操作部１４、受信部１５、音声出力部１６、ＭＰＥＧ２デコード部１７、及び、画像出力部１８を備えている。
【００２７】
また、デジタル放送受信機１は、リモートコントローラ（ｒｅｍｏｔｅ  ｃｏｎｔｒｏｌｌｅｒ：以下、「リモコン」という）２と赤外線通信を介して通信可能に接続されている。リモコン２（チャンネル設定手段の一部に相当する）は、電源キー、テンキー等の複数のキーを備え、キーの押下を介してユーザからの操作入力を受け付けて、操作入力に対応する赤外線信号を生成して、デジタル放送受信機１に対して出力するものである。
【００２８】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２９】
操作部１４は、電源のＯＮ、ＯＦＦ操作、選局等の各種操作を受け付けると共に、リモコン２からの各種操作を受け付けるものである。受信部１５は、テレビジョン放送を受信して復調するものであって、デジタル方式のテレビジョン放送を受信する第１受信部１５Ａ（第１受信手段に相当する）と、アナログ方式のテレビジョン放送を受信する第２受信部１５Ｂ（第２受信手段に相当する）と、を備えている。第１受信部１５Ａと第２受信部１５Ｂとは、以下の説明においては、特に必要な場合を除いて、両者を区別することなく受信部１５と総称する。受信部１５Ａは、アンテナ部１５１Ａ、チューナ部１５２Ａ、Ａ／Ｄ変換部１５３Ａ、デジタル復調部１５４Ａ、及び、ＴＳデマルチプレクサ１５５Ａを備えている。受信部１５Ｂは、アンテナ部１５１Ｂ、チューナ部１５２Ｂ、及び、アナログ復調部１５３Ｂを備えている。
【００３０】
アンテナ部１５１Ａは、デジタル方式のテレビジョン放送波を受信するものである。チューナ部１５２Ａは、アンテナ部１５１Ａで受信されたテレビジョン放送波から、予め設定されたチャンネルの放送を選局するものである。Ａ／Ｄ変換部１５３Ａは、チューナ部１５２Ａからの出力信号（＝アナログ信号）をデジタル情報に変換するものである。デジタル復調部１５４Ａは、Ａ／Ｄ変換部１５３Ａからの出力情報を復調するものである。ＴＳ（Ｔｒａｎｓｐｏｒｔ  Ｓｔｒｅａｍ）デマルチプレクサ１５５Ａは、デジタル復調部１５４Ａによって復調された出力情報を種別毎に分離して出力するものである。
【００３１】
アンテナ部１５１Ｂは、アナログ方式のテレビジョン放送波を受信するものである。チューナ部１５２Ｂは、アンテナ部１５１Ｂで受信されたテレビジョン放送波から、予め設定されたチャンネルの放送を選局するものである。アナログ復調部１５３Ｂは、チューナ部１５２Ｂからの出力信号を映像信号及び音声信号に復調するものである。
【００３２】
音声出力部１６は、受信部１５によって受信されたデジタル方式のテレビジョン放送（又はアナログのテレビジョン放送）に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５Ａから出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。ただし、受信部１５Ｂによって受信されたアナログのテレビジョン放送に対応する音声を出力する場合には、Ｄ／Ａ変換部１６１を介さずに、音声信号出力部１６２に音声信号が入力される。
【００３３】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５Ａから出力されたデジタル方式のテレビジョン放送の映像情報を圧縮前の映像情報に復号化するものである。
【００３４】
画像出力部１８は、ＭＰＥＧ２デコード部１７によって復号化されたデジタル方式のテレビジョン放送の映像情報、又は、アナログ復調部１５３Ｂによって復調された映像信号を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する映像を表示するものである。ただし、受信部１５Ｂによって受信されたアナログのテレビジョン放送に対応する映像を出力する場合には、ＮＴＳＣエンコード部１８１を介さずに、映像信号出力部１８２に映像信号が入力される。
【００３５】
次に、デジタル放送受信機１がデジタル放送を受信する場合の動作について説明する。まず、送信されてきたデジタル放送波がアンテナ部１５１Ａで受信される。リモコン２を介して選局操作が受け付けられた場合には、チューナ部１５２Ａによって受信するトランスポンダ（Ｔｒａｎｓｐｏｎｄｅｒ）の切換が行われる。受信されたデジタル放送波は、Ａ／Ｄ変換部１５３Ａによりデジタル情報に変換され、デジタル復調部１５４Ａによって復調される。
【００３６】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、字幕情報、制御情報等からなり、これらの情報がＴＳデマルチプレクサ１５５Ａによって、分離して出力され、ＲＡＭ１２に格納される。そして、ＲＡＭ１２から読み出されたテレビジョン放送に対応する音声情報がＤ／Ａ変換部１６１によってアナログ信号に変換され、音声信号出力部１６２を介してスピーカ１６３から音声が出力される。
【００３７】
また、ＲＡＭ１２から読み出されたテレビジョン放送に対応する映像情報がＭＰＥＧ２デコード部１７によって圧縮前の映像情報に復号化され、画像合成部１９によって画像合成されて合成画像が生成された後、ＮＴＳＣエンコード部１８１によってＮＴＳＣ方式のテレビジョン信号に変換されて、映像信号出力部１８２を介してディスプレイ１８３に映像が表示される。
【００３８】
次いで、デジタル放送受信機１がアナログ放送を受信する場合の動作について説明する。まず、送信されてきたアナログ放送波がアンテナ部１５１Ｂで受信される。リモコン２を介して選局操作が受け付けられた場合には、チューナ部１５２Ｂによって受信するトランスポンダ（Ｔｒａｎｓｐｏｎｄｅｒ）の切換が行われる。受信されたアナログ放送波は、アナログ復調部１５３Ｂによって復調される。
【００３９】
そして、アナログ方式のテレビジョン放送に対応する音声信号が音声信号出力部１６２を介してスピーカ１６３から音声が出力される。また、アナログ放送の映像信号が映像信号出力部１８２を介してディスプレイ１８３に伝送されて、映像がディスプレイ１８３に表示される。
【００４０】
図２は、本発明に係るデジタル放送受信機１における主要部の機能構成の一例を示す構成図である。ＭＰＵ１１は、機能的に、映像情報判定部１１１、チャンネル対応生成部１１２、チャンネル設定部１１３、第１チャンネル判定部１１４、基準設定部１１５、第２チャンネル判定部１１６、第２映像取得部１１７、合成映像生成部１１８、及び、表示制御部１１９を備え、ＲＡＭ１２は、機能的に、チャンネル対応記憶部１２１を備えている。
【００４１】
ここでは、ＭＰＵ１１が、図１に示すＲＯＭ１３等に予め格納された制御プログラムを読み出して実行することにより、映像情報判定部１１１、チャンネル対応生成部１１２、チャンネル設定部１１３、第１チャンネル判定部１１４、基準設定部１１５、第２チャンネル判定部１１６、第２映像取得部１１７、合成映像生成部１１８、表示制御部１１９等の機能部として機能し、ＲＡＭ１２を、チャンネル対応記憶部１２１等の機能部として機能させるものである。
【００４２】
また、図１に示すＲＡＭ１２、ＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００４３】
チャンネル対応記憶部１２１（チャンネル対応記憶手段に相当する）は、第１受信部１５Ａを介して受信可能なチャンネル（＝デジタル方式のテレビジョン放送の受信可能なチャンネル）において受信される映像情報と、第２受信部１５Ｂを介して受信可能なチャンネル（＝アナログ方式のテレビジョン放送の受信可能なチャンネル）において受信される映像情報と、が同一である場合に、第１受信部１５Ａを介して受信可能なチャンネルの識別情報であるチャンネル識別情報を、第２受信部１５Ｂを介して受信可能なチャンネルの識別情報であるチャンネル識別情報と対応付けて格納するものである。なお、チャンネル対応記憶部１２１に格納されるチャンネル識別情報は、チャンネル対応生成部１１２によってチャンネル対応記憶部１２１に格納されるものである。
【００４４】
映像情報判定部１１１（映像情報判定手段に相当する）は、第１受信部１５Ａを介して受信可能なチャンネル（＝デジタル方式のテレビジョン放送の受信可能なチャンネル）において受信される映像情報と、第２受信部１５Ｂを介して受信可能なチャンネル（＝アナログ方式のテレビジョン放送の受信可能なチャンネル）において受信される映像情報と、が同一であるか否かを判定するものである。
【００４５】
例えば、映像情報判定部１１１は、第１受信部１５Ａを介して受信可能なチャンネルを放送する放送局と、第２受信部１５Ｂを介して受信可能なチャンネルを放送する放送局と、が同一の放送局である場合には、第１受信部１５Ａを介して受信可能なチャンネルにおいて受信される映像情報と、第２受信部１５Ｂを介して受信可能なチャンネルにおいて受信される映像情報と、が同一であると判定するものである。
【００４６】
チャンネル対応生成部１１２（チャンネル対応生成手段に相当する）は、映像情報判定部１１１によって映像情報が同一であると判定された場合に、第１受信部１５Ａを介して受信されるチャンネルの識別情報を、第２受信部１５Ｂを介して受信されるチャンネルの識別情報と対応付けてチャンネル対応記憶部１２１に格納するものである。
【００４７】
チャンネル設定部１１３（チャンネル設定手段の一部に相当する）は、リモコン２を介してユーザからの操作入力を受け付けて、受け付けられた操作入力に基づいて、ディスプレイ１８３に対応する映像を表示するチャンネルである表示チャンネルを設定するものである。
【００４８】
第１チャンネル判定部１１４（第１チャンネル判定手段に相当する）は、チャンネル設定部１１３によって１のチャンネル（例えば、チャンネル番号が「１」のチャンネル）が設定され、予め設定された第１所定時間（例えば、５分）以上継続して、その１のチャンネル（ここでは、チャンネル番号が「１」のチャンネル）が設定されているか否かを判定するものである。
【００４９】
基準設定部１１５（基準設定手段に相当する）は、チャンネル判定部１１４によって第１所定時間（ここでは、５分）以上継続して１のチャンネル（ここでは、チャンネル番号が「１」のチャンネル）が設定されていると判定された場合に、その１のチャンネル（ここでは、チャンネル番号が「１」のチャンネル）を、ディスプレイ１８３に表示する基準のチャンネルである基準チャンネルとして設定するものである。
【００５０】
ここで、基準チャンネルとは、チャンネル設定部１１３によって基準チャンネル（ここでは、チャンネル番号が「１」のチャンネル）から他の１のチャンネル（例えば、チャンネル番号が「４」、「６」、「８」のチャンネル）が設定された場合に、ディスプレイ１８３の子画面（図３（ｂ）参照）に表示される映像情報（＝第２映像情報）に対応するチャンネルである。
【００５１】
第２チャンネル判定部１１６（第２チャンネル判定手段に相当する）は、基準設定部１１５によって基準チャンネルが設定された場合に、チャンネル設定部１１３によって他の１のチャンネル（ここでは、チャンネル番号が「４」、「６」、「８」のチャンネル）が表示チャンネルとして設定されたか否かを判定するものである。
【００５２】
第２映像取得部１１７（第２映像取得手段に相当する）は、第２チャンネル判定部１１６によって他の１のチャンネル（ここでは、チャンネル番号が「４」、「６」、「８」のチャンネル）が表示チャンネルとして設定された場合に、第１受信部１５Ａ又は第２受信部１５Ｂを介して１のチャンネル（＝基準チャンネル：ここでは、チャンネル番号が「１」のチャンネル）の映像情報である第２映像を受信するものである。
【００５３】
また、第２映像取得部１１７は、予め設定された第２所定時間（例えば、１５秒）毎に、１のチャンネル（＝基準チャンネル：ここでは、チャンネル番号が「１」のチャンネル）の映像情報を受信し、受信された映像情報に対応する静止画像を第２映像として生成するものである。
【００５４】
更に、第２映像取得部１１７は、チャンネル設定部１１３によって表示チャンネルに設定された他の１のチャンネル（ここでは、チャンネル番号が「４」、「６」、「８」のチャンネル）が第１受信部１５Ａを介して受信されるチャンネルである場合に、第２受信部１５Ｂを介して１のチャンネル（＝基準チャンネル：ここでは、チャンネル番号が「１」のチャンネル）に対応する映像情報を受信し、チャンネル設定部１１３によって表示チャンネルに設定された他の１のチャンネルが第２受信部１５Ｂを介して受信されるチャンネルである場合に、第１受信部１５Ａを介して１のチャンネルに対応する映像情報を受信するものである。
【００５５】
合成映像生成部１１８（合成映像生成手段に相当する）は、表示制御部１１９によって受信された他の１のチャンネル（ここでは、チャンネル番号が「４」、「６」、「８」のチャンネル）に対応する第１映像と、第２映像取得部１１７によって受信された１のチャンネル（＝基準チャンネル：ここでは、チャンネル番号が「１」のチャンネル）に対応する第２映像と、を合成して合成映像を生成するものである。
【００５６】
また、合成映像生成部１１８は、チャンネル設定部１１３によって設定された表示チャンネル（ここでは、チャンネル番号が「４」、「６」、「８」のチャンネル）に対応する映像情報である第１映像を親画面としてディスプレイ１８３の予め設定された第１領域（ここでは、ディスプレイ１８３の表示可能な全体領域）に表示すると共に、基準チャンネル（ここでは、チャンネル番号が「１」のチャンネル）に対応する第２映像を子画面としてディスプレイ１８３の第１領域内に予め設定された第２領域（ここでは、ディスプレイ１８３の右下に設定された領域）に表示するべく合成映像を生成するものである。
【００５７】
表示制御部１１９（表示制御手段に相当する）は、チャンネル設定部１１３によって設定された表示チャンネルに対応する映像情報である第１映像を第１受信部１５Ａ又は第２受信部１５Ｂを介して受信し、ディスプレイ１８３に表示するものである。
【００５８】
また、表示制御部１１９は、第２チャンネル判定部１１６によって他の１のチャンネル（ここでは、チャンネル番号が「４」、「６」、「８」のチャンネル）が表示チャンネルとして設定された場合に、ディスプレイ１８３に合成映像生成部１１８によって生成された合成映像を表示するものである。
【００５９】
図３は、デジタル放送受信機１（主にＭＰＵ１１）の動作の一例を示す説明図である。（ａ）は、タイミングチャートであり、（ｂ）は画面図である。（ａ）の縦軸は、時間であり、横軸はチャンネル番号（チャンネル識別情報に相当する）である。ここでは、（ａ）に示すように、デジタル放送を受信する第１受信部１５Ａを介して、チャンネル番号が、「１」、「４」、「６」、「８」のチャンネルが受信され、アナログ放送を受信する第２受信部１５Ｂを介して、チャンネル番号が、「２」のチャンネルが受信される。
【００６０】
また、チャンネル番号が「１」のチャンネルと、チャンネル番号が「２」のチャンネルは、放送局Ｘから放送されており、同一の番組（番組Ａ）が放送されている。すなわち、チャンネル番号「１」が、チャンネル番号「２」と対応付けて予めチャンネル対応記憶部１２１に格納されている。そして、ユーザが、チャンネル番号が「１」のチャンネルにおいて番組Ａを第１所定時間（ここでは、５分）以上継続しており、チャンネル番号が「１」のチャンネルが基準チャンネルに設定されている場合について説明する。
【００６１】
また、（ｂ）に示すように、表示制御部１１９によって、表示チャンネルに対応する映像情報である第１映像が親画面３００としてディスプレイ１８３の予め設定された第１領域（ここでは、ディスプレイ１８３の表示可能な全体領域）に表示され、基準チャンネルに対応する第２映像が子画面３０１としてディスプレイ１８３の予め設定された第２領域（ここでは、ディスプレイ１８３の右下領域）に表示される。
【００６２】
（ａ）に示すように、番組ＡがＣＭ中の状態となり、ユーザによってチャンネル番号が「４」のチャンネルが選択された場合に、第２所定時間（例えば、１５秒）後に、基準チャンネルであるチャンネル番号が「１」のチャンネルの映像情報と同一の映像情報であるチャンネル番号が「２」のチャンネルの映像情報が、アナログ放送を受信する第２受信部１５Ｂを介して受信され、受信された映像情報に対応する静止画像（静止画像Ｂ）が第２映像として生成され、（ｂ）に示す子画面３０１に表示される。
【００６３】
そして、（ａ）に示すように、番組ＡがＣＭ中に、ユーザによって更にチャンネル番号が「６」のチャンネルが選択された場合に、第２所定時間（例えば、１５秒）後（＝チャンネル番号が「４」のチャンネルが選択された時点から３０秒後）に、基準チャンネルであるチャンネル番号が「１」のチャンネルの映像情報と同一の映像情報であるチャンネル番号が「２」のチャンネルの映像情報が、アナログ放送を受信する第２受信部１５Ｂを介して受信され、受信された映像情報に対応する静止画像（静止画像Ｃ）が第２映像として生成され、（ｂ）に示す子画面３０１に表示される。
【００６４】
更に、（ａ）に示すように、番組ＡがＣＭ中に、ユーザによって更にチャンネル番号が「８」のチャンネルが選択された場合に、第２所定時間（例えば、１５秒）後（＝チャンネル番号が「４」のチャンネルが選択された時点から４５秒後）に、ＣＭが終了して番組Ａが開始され、基準チャンネルであるチャンネル番号が「１」のチャンネルの映像情報と同一の映像情報であるチャンネル番号が「２」のチャンネルの映像情報が、アナログ放送を受信する第２受信部１５Ｂを介して受信され、受信された映像情報に対応する静止画像（静止画像Ｄ）が第２映像として生成され、（ｂ）に示す子画面３０１に表示される。
【００６５】
ユーザは、子画面３０１に表示された静止画像Ｂ、Ｃ、Ｄを視認することによって、静止画像Ｄが表示された時点で、ＣＭが終了したと判断し、チャンネル番号が「１」のチャンネルを選択し、番組Ａを視聴することができるのである。
【００６６】
図４は、デジタル放送受信機１（主にＭＰＵ１１）の動作の一例を示すフローチャートである。ここでは、便宜上、予めチャンネル対応生成部１１２によって、映像情報判定部１１１により映像情報が同一であると判定され、第１受信部１５Ａを介して受信されるチャンネルの識別情報（ここでは、チャンネル番号「１」）が、第２受信部１５Ｂを介して受信されるチャンネルの識別情報（ここでは、チャンネル番号「２」）と対応付けてチャンネル対応記憶部１２１に格納されている場合について説明する。
【００６７】
まず、チャンネル設定部１１３によって表示チャンネルが設定されたか否かの判定が行われる（Ｓ１０１）。表示チャンネルが設定されていないと判定された場合（Ｓ１０１でＮＯ）には、処理が待機状態とされる。表示チャンネルが設定されたと判定された場合（Ｓ１０１でＹＥＳ）には、表示制御部１１９によってステップＳ１０１において設定された表示チャンネルに対応する映像情報である第１映像が取得される（Ｓ１０３）。そして、第１チャンネル判定部１１４によって、第１所定時間（例えば、５分）以上継続して設定されているか否かが判定される（Ｓ１０５）。第１所定時間（例えば、５分）以上継続して設定されていると判定された場合（Ｓ１０５でＹＥＳ）には、基準設定部１１５によって、ステップＳ１０１において設定されたチャンネル（ここでは、チャンネル番号が「１」のチャンネル）が基準チャンネルとして設定され（Ｓ１０７）、処理がステップＳ１０１に戻され、ステップＳ１０１以降の処理が繰り返し実行される。
【００６８】
第１所定時間（例えば、５分）以上継続して設定されていないと判定された場合（Ｓ１０５でＮＯ）には、第２チャンネル判定部１１６によって、基準チャンネルが設定されているか否かの判定が行われる（Ｓ１０９）。基準チャンネルが設定されていないと判定された場合（Ｓ１０９でＮＯ）には、処理がステップＳ１０１に戻され、ステップＳ１０１以降の処理が繰り返し実行される。基準チャンネルが設定されていると判定された場合（Ｓ１０９でＹＥＳ）には、第２映像取得部１１７によって、第２所定時間（ここでは、１５秒）が経過したか否かの判定が行われる（Ｓ１１１）。第２所定時間が経過していないと判定された場合（Ｓ１１１でＮＯ）には、表示制御部１１９によって、第１映像がディスプレイ１８３に表示され（Ｓ１１３）、処理がステップＳ１０１に戻され、ステップＳ１０１以降の処理が繰り返し実行される。
【００６９】
第２所定時間が経過したと判定された場合（Ｓ１１１でＹＥＳ）には、第２映像取得部１１７によって、第２受信部１５Ｂを介して基準チャンネル（ここでは、チャンネル番号が「１」のチャンネル）に対応する映像情報が受信される（Ｓ１１５）。そして、第２映像取得部１１７によって、ステップＳ１１５において受信された映像情報に対応する静止画像が生成される（Ｓ１１７）。次いで、合成映像生成部１１８によって、ステップＳ１０３で取得された第１映像と、ステップＳ１１７で生成された静止画像とが合成され、合成映像が生成される（Ｓ１１９）。次に、表示制御部１１９によって、ステップＳ１１９で生成された合成映像がディスプレイ１８３に表示され（Ｓ１２１）、処理がステップＳ１０１に戻され、ステップＳ１０１以降の処理が繰り返し実行される。
【００７０】
このようにして、リモコン２を介してユーザからの操作入力を受け付けられて、受け付けられた操作入力に基づいて、ディスプレイ１８３に映像を表示するチャンネルである表示チャンネルとして１のチャンネル（ここでは、チャンネル番号が「１」のチャンネル）が設定され、予め設定された第１所定時間（ここでは、５分）以上継続して前記１のチャンネルが設定されているか否かが判定され、第１所定時間（ここでは、５分）以上継続して１のチャンネル（ここでは、チャンネル番号が「１」のチャンネル）が設定されていると判定された場合に、１のチャンネル（ここでは、チャンネル番号が「１」のチャンネル）が、ディスプレイ１８３に表示する基準のチャンネルである基準チャンネルとして設定される。そして、基準チャンネルが設定された場合に、他の１のチャンネル（ここでは、チャンネル番号が「４」、「６」、「８」のチャンネル）が表示チャンネルとして設定されたか否かが判定され、他の１のチャンネルが表示チャンネルとして設定された場合に、第１受信部１５Ａ及び第２受信部１５Ｂの一方（ここでは、第１受信部１５Ａ）を介して、前記他の１のチャンネルに対応する第１映像が受信され、第１受信部１５Ａ及び第２受信部１５Ｂの他方（ここでは、第２受信部１５Ｂ）を介して、前記１のチャンネルの映像情報である第２映像が受信され、前記他の１のチャンネルに対応する第１映像と、前記１のチャンネル（＝基準チャンネル：ここでは、チャンネル番号が「１」のチャンネル）に対応する第２映像と、が合成されて合成映像が生成され、生成された合成映像が、ディスプレイ１８３に表示されるため、他の１のチャンネルに切り換えている状態であっても視聴を所望する番組（ここでは、基準チャンネルに設定された１のチャンネルで受信される番組）の開始を簡素な構成で視認することができる。
【００７１】
すなわち、例えば、基準チャンネルに設定された１のチャンネル（ここでは、チャンネル番号が「１」のチャンネル）で受信される番組において、ＣＭが挿入されている場合に、ＣＭ中にユーザが他の１のチャンネル（ここでは、チャンネル番号が「４」、「６」、「８」のチャンネル）に切り換えている状態であっても、他の１のチャンネルに対応する第１映像と、１のチャンネル（＝基準チャンネル）に対応する第２映像と、が合成された合成映像が、ディスプレイ１８３に表示されるため、ユーザは、ディスプレイ１８３に表示された第２映像（＝１のチャンネル（＝基準チャンネル）に対応する映像）を視認することができるので、他の１のチャンネルに切り換えている状態であっても視聴を所望する番組（ここでは、基準チャンネルに設定された１のチャンネルで受信される番組）の開始を簡素な構成で視認することができるのである。
【００７２】
また、第１受信部１５Ａによってデジタル方式のテレビジョン放送が受信され、第２受信部１５Ｂによって、アナログ方式のテレビジョン放送が受信されるため、簡素な構成で、他の１のチャンネル（ここでは、チャンネル番号が「４」、「６」、「８」のチャンネル）に切り換えている状態であっても視聴を所望する番組（ここでは、基準チャンネルに設定された１のチャンネルで受信される番組）の開始を簡素な構成で視認することができる。
【００７３】
すなわち、同一の番組がデジタル方式のテレビジョン放送及びアナログ方式のテレビジョン放送で放送されている場合に、第１受信部１５Ａを介して（＝デジタル方式のテレビジョン放送を介して）他の１のチャンネル（ここでは、チャンネル番号が「４」、「６」、「８」のチャンネル）に対応する第１映像が受信され、第２受信部１５Ｂを介して（＝アナログ方式のテレビジョン放送を介して）、１のチャンネル（ここでは、チャンネル番号が「１」のチャンネル）の映像情報である第２映像が受信されるため、第１受信部１５Ａを介して受信するチャンネルを他の１のチャンネルに切り換えている状態であっても、第２受信部１５Ｂを介して１のチャンネル（＝基準チャンネル）が受信されて、１のチャンネルに対応する第２映像が、ディスプレイ１８３に表示されるため、他の１のチャンネルに切り換えている状態であっても視聴を所望する番組（ここでは、基準チャンネルに設定された１のチャンネルで受信される番組）の開始を更に簡素な構成で視認することができるのである。
【００７４】
更に、予め設定された第２所定時間（ここでは、１５秒）毎に、１のチャンネル（ここでは、チャンネル番号が「１」のチャンネル）の映像情報が受信され、受信された映像情報に対応する静止画像が第２映像として生成されるため、他の１のチャンネル（ここでは、チャンネル番号が「４」、「６」、「８」のチャンネル）に切り換えている状態であっても視聴を所望する番組（ここでは、基準チャンネルに設定された１のチャンネルで受信される番組）の開始を更に簡素な構成で視認することができる。
【００７５】
すなわち、第２映像が静止画像であるため、他の１のチャンネル（ここでは、チャンネル番号が「４」、「６」、「８」のチャンネル）に対応する第１映像と、１のチャンネル（ここでは、チャンネル番号が「１」のチャンネル）に対応する第２映像と、を合成する処理が簡略化されるので、他の１のチャンネルに切り換えている状態であっても視聴を所望する番組（ここでは、基準チャンネルに設定された１のチャンネルで受信される番組）の開始を更に簡素な構成で視認することができるのである。
【００７６】
加えて、表示チャンネルに設定された他の１のチャンネル（ここでは、チャンネル番号が「４」、「６」、「８」のチャンネル）が第１受信部１５Ａを介して受信されるチャンネルである場合に、第２受信部１５Ｂを介して１のチャンネル（ここでは、チャンネル番号が「１」のチャンネル）に対応する映像情報が受信され、表示チャンネルに設定された他の１のチャンネルが第２受信部１５Ｂを介して受信されるチャンネルである場合に、第１受信部１５Ａを介して１のチャンネルに対応する映像情報が受信されるため、他の１のチャンネルに切り換えている状態であっても視聴を所望する番組（ここでは、基準チャンネルに設定された１のチャンネルで受信される番組）の開始を更に簡素な構成で視認することができる。
【００７７】
すなわち、第１受信部１５Ａ及び第２受信部１５Ｂの内、表示チャンネルに設定された他の１のチャンネル（ここでは、チャンネル番号が「４」、「６」、「８」のチャンネル）を受信していない方の受信部（ここでは、第２受信部１５Ｂ）によって１のチャンネル（ここでは、チャンネル番号が「１」のチャンネル）に対応する映像情報が受信されるため、他の１のチャンネルに切り換えている状態であっても視聴を所望する番組（ここでは、基準チャンネルに設定された１のチャンネルで受信される番組）の開始を更に簡素な構成で視認することができるのである。
【００７８】
また、第１受信部１５Ａを介して受信可能なチャンネルにおいて受信される映像情報と、第２受信部１５Ｂを介して受信可能なチャンネルにおいて受信される映像情報と、が同一であるか否かが判定され、映像情報が同一であると判定された場合に、第１受信部１５Ａを介して受信されるチャンネルの識別情報（ここでは、チャンネル番号「１」）が、第２受信部１５Ｂを介して受信されるチャンネルの識別情報（ここでは、チャンネル番号「２」のチャンネル）と対応付けてチャンネル対応記憶部１２１に格納される。そして、チャンネル対応記憶部１２１に格納された情報に基づいて、１のチャンネル（ここでは、チャンネル番号が「１」のチャンネル）に対応する映像情報が受信されるため、他の１のチャンネルに切り換えている状態であっても視聴を所望する番組（ここでは、基準チャンネルに設定された１のチャンネルで受信される番組）の開始を更に簡素な構成で視認することができる。
【００７９】
すなわち、チャンネル対応記憶部１２１に格納された情報に基づいて、１のチャンネル（ここでは、チャンネル番号が「１」のチャンネル）に対応する映像情報が受信されるため、１のチャンネルに対応する映像情報を受信するために、第１受信部１５Ａ及び第２受信部１５Ｂ（ここでは、第２受信部１５Ｂ）を介して第２映像を受信するチャンネル（ここでは、チャンネル番号が「２」のチャンネル）を容易に設定することができるので、他の１のチャンネルに切り換えている状態であっても視聴を所望する番組（ここでは、基準チャンネルに設定された１のチャンネルで受信される番組）の開始を更に簡素な構成で視認することができるのである。
【００８０】
更に、第１映像が親画面としてディスプレイ１８３の予め設定された第１領域（ここでは、ディスプレイ１８３の表示可能な全体領域）に表示されると共に、第２映像が子画面としてディスプレイ１８３の第１領域内に予め設定された第２領域（ここでは、ディスプレイ１８３の右下領域）に表示されるため、他の１のチャンネルに切り換えている状態であっても視聴を所望する番組（ここでは、基準チャンネルに設定された１のチャンネルで受信される番組）の開始を利便性良好に視認することができる。
【００８１】
すなわち、第１映像が親画面としてディスプレイ１８３の予め設定された第１領域（ここでは、ディスプレイ１８３の表示可能な全体領域）に表示されると共に、第２映像が子画面としてディスプレイ１８３の第１領域内に予め設定された第２領域（ここでは、ディスプレイ１８３の右下領域）に表示されるため、視聴を所望する番組の開始を確認するための画面が子画面３０１として表示されるので、他の１のチャンネルに切り換えている状態であっても視聴を所望する番組（ここでは、基準チャンネルに設定された１のチャンネルで受信される番組）の開始を利便性良好に視認することができるのである（図３（ｂ）参照）。
【００８２】
なお、本発明は、以下の形態にも適用可能である。
（Ａ）本実施形態では、放送受信装置が、デジタル方式のテレビジョン放送を受信する第１受信部１５Ａ及びアナログ方式のテレビジョン放送を受信する第２受信部１５Ｂを有するデジタル放送受信機１である場合について説明したが、放送受信装置が２以上のアナログ放送を同時に受信可能に構成された放送受信機である形態でもよいし、２以上のデジタル放送を受信可能に構成された放送受信機である形態でもよい。
【００８３】
（Ｂ）本実施形態では、モニタがデジタル放送受信機１に配設されたディスプレイ１８３である場合について説明したが、モニタがデジタル放送受信機１とは別の装置として構成されている形態でもよい。例えば、モニタがパーソナルコンピュータ等に配設されたモニタである形態でもよい。
【００８４】
（Ｃ）本実施形態では、ＭＰＵ１１が、機能的に、映像情報判定部１１１、チャンネル対応生成部１１２、チャンネル設定部１１３、第１チャンネル判定部１１４、基準設定部１１５、第２チャンネル判定部１１６、第２映像取得部１１７、合成映像生成部１１８、及び、表示制御部１１９を備える場合について説明したが、映像情報判定部１１１、チャンネル対応生成部１１２、チャンネル設定部１１３、第１チャンネル判定部１１４、基準設定部１１５、第２チャンネル判定部１１６、第２映像取得部１１７、合成映像生成部１１８、及び、表示制御部１１９の内、少なくとも１の機能部が、回路等のハードウェアによって構成されている形態でもよい。
【００８５】
（Ｄ）本実施形態では、合成映像生成部１１８が、表示チャンネルに対応する第１映像と、基準チャンネルに対応する静止画像とを合成して合成映像を生成する場合について説明したが、合成映像生成部１１８が、表示チャンネルに対応する第１映像と、基準チャンネルに対応する第２映像とを合成して合成映像を生成する形態でもよい。この場合には、視聴を所望する番組（ここでは、番組Ａ）の開始タイミングを、更に正確に視認することができる。
【００８６】
（Ｅ）本実施形態では、合成映像生成部１１８が、表示チャンネルに対応する第１映像を親画面とし、基準チャンネルに対応する第２映像を子画面として表示するべく合成映像を生成する場合について説明したが、合成映像生成部１１８が、画面を２分割して第１映像及び第２映像を表示するべく合成映像を生成する形態でもよい。この場合には、視聴を所望する番組（ここでは、番組Ａ）の開始タイミングを、更に正確に視認することができる。また、合成映像生成部１１８が、表示チャンネルに対応する第１映像を子画面とし、基準チャンネルに対応する第２映像を親画面として表示するべく合成映像を生成する形態でもよい。
【図面の簡単な説明】
【００８７】
【図１】は、本発明に係るデジタル放送受信機の構成の一例を示すブロック図である。
【図２】は、本発明に係るデジタル放送受信機における主要部の機能構成の一例を示す構成図である。
【図３】は、デジタル放送受信機（主にＭＰＵ）の動作の一例を示す説明図である。
【図４】は、デジタル放送受信機（主にＭＰＵ）の動作の一例を示すフローチャートである。
【符号の説明】
【００８８】
１    デジタル放送受信機（放送受信装置）
１１    ＭＰＵ
１１１    映像情報判定部（映像情報判定手段）
１１２    チャンネル対応生成部（チャンネル対応生成手段）
１１３    チャンネル設定部（チャンネル設定手段の一部）
１１４    第１チャンネル判定部（第１チャンネル判定手段）
１１５    基準設定部（基準設定手段）
１１６    第２チャンネル判定部（第２チャンネル判定手段）
１１７    第２映像取得部（第２映像取得手段）
１１８    合成映像生成部（合成映像生成手段）
１１９    表示制御部（表示制御手段）
１２    ＲＡＭ
１２１    チャンネル対応記憶部（チャンネル対応記憶手段）
１４    操作部
１５    受信部
１５Ａ    第１受信部（第１受信手段）
１５Ｂ    第２受信部（第２受信手段）
１８    画像出力部
１８３    ディスプレイ（モニタ）
２    リモコン（チャンネル設定手段の一部）
【図１】
2008277944.tif 000003
【図２】
2008277944.tif 000004
【図３】
2008277944.tif 000005
【図４】
2008277944.tif 000006